【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
少なくとも第１ポリマーおよび第２ポリマーの混合物を含む繊維であって；
前記第１ポリマーは、１種以上のアミンモノマーと複数の酸性モノマーとの反応に由来する構造を有し、
ｉ）前記１種以上のアミンモノマーは、アミンモノマーの総量に基づいて、少なくとも６０モルパーセントの５（６）−アミノ−２−（ｐ−アミノフェニル）ベンズイミダゾールを含み；および
ｉｉ）前記複数の酸性モノマーは：
Ｃｌ−ＣＯ−Ａｒ1−ＣＯ−Ｃｌ  及び  Ｃｌ−ＣＯ−Ａｒ2−ＣＯ−Ｃｌ
（式中、Ａｒ1はパラ型結合を有する芳香族基であり、およびＡｒ2はメタ型結合を有する芳香族基であり、前記複数の酸性モノマーは、芳香族基Ａｒ2を含有する少なくとも５０モルパーセントの前記モノマーを有する）
の構造を有する酸性モノマーを含み；および
前記第２ポリマーは、メタフェニレンジアミンと塩化イソフタロイルとの反応に由来する構造を有する、繊維。
【請求項２】
請求項１に記載の繊維を含むマルチフィラメント糸。
【請求項３】
請求項１に記載のステープルファイバーを含む糸。
【請求項４】
請求項１に記載の繊維を含む布地。
【請求項５】
請求項１に記載の繊維を含む防護衣類。
【請求項６】
ａ）少なくとも第１ポリマーおよび第２ポリマーを混合またはブレンドする工程であって；
前記第１ポリマーは、１種以上のアミンモノマーと複数の酸性モノマーとの反応に由来する構造を有し、
ｉ）前記１種以上のアミンモノマーは、アミンモノマーの総量に基づいて、少なくとも６０モルパーセントの５（６）−アミノ−２−（ｐ−アミノフェニル）ベンズイミダゾールを含み；および
ｉｉ）前記複数の酸性モノマーは：
Ｃｌ−ＣＯ−Ａｒ1−ＣＯ−Ｃｌ  及び  Ｃｌ−ＣＯ−Ａｒ2−ＣＯ−Ｃｌ
（式中、Ａｒ1はパラ型結合を有する芳香族基であり、およびＡｒ2はメタ型結合を有する芳香族基であり；
前記複数の酸性モノマーは、芳香族基Ａｒ2を含有する少なくとも５０モルパーセントの前記モノマーを有する）
の構造を有する酸性モノマーを含み；および
前記第２ポリマーは、メタフェニレンジアミンと塩化イソフタロイルとの反応に由来する構造を有する、工程；
ｂ）繊維を紡糸するための少なくとも第１ポリマーおよび第２ポリマーの均質溶液を提供する工程；および
ｃ）前記溶液から繊維を紡糸する工程
を含む、繊維を製造する方法。
【手続補正２】
【補正対象書類名】明細書
【補正対象項目名】００６６
【補正方法】変更
【補正の内容】
【００６６】
ポリアクリロニトリルホモポリマー／ＭＰＤ−Ｉのブレンドから製造した繊維を１００％のＭＰＤ−Ｉ繊維と同様に着色または染色した。これは、ポリアクリロニトリルホモポリマー単独では塩基性染料で可染性ではないために、ポリアクリロニトリルホモポリマー／ＭＰＤ−Ｉブレンド内のポリマー成分の鞘／芯分離が発生しなかったことを示している。鞘／芯繊維が鞘内でポリアクリロニトリルホモポリマーを用いて形成されていた場合は、可染性であったはずはない。その後の試験は、ＤＡＰＢＩ−Ｉ／Ｔコポリマーと同様に、室温水中のアクリロニトリルホモポリマーの凝固速度がＭＰＤ−Ｉの凝固速度より緩徐であることを証明した。しかし、ポリアクリロニトリルホモポリマー／ＭＰＤ−Ｉポリマーブレンドは所望の類似の繊維を提供しない。
次に、本発明の態様を示す。
１.  少なくとも第１ポリマーおよび第２ポリマーの混合物を含む繊維であって；
前記第１ポリマーは、１種以上のアミンモノマーと複数の酸性モノマーとの反応に由来する構造を有し、
ｉ）前記１種以上のアミンモノマーは、アミンモノマーの総量に基づいて、少なくとも６０モルパーセントの５（６）−アミノ−２−（ｐ−アミノフェニル）ベンズイミダゾールを含み；および
ｉｉ）前記複数の酸性モノマーは：
Ｃｌ−ＣＯ−Ａｒ1−ＣＯ−Ｃｌ  及び  Ｃｌ−ＣＯ−Ａｒ2−ＣＯ−Ｃｌ
（式中、Ａｒ1はパラ型結合を有する芳香族基であり、およびＡｒ2はメタ型結合を有する芳香族基であり、前記複数の酸性モノマーは、芳香族基Ａｒ2を含有する少なくとも５０モルパーセントの前記モノマーを有する）
の構造を有する酸性モノマーを含み；および
前記第２ポリマーは、メタフェニレンジアミンと塩化イソフタロイルとの反応に由来する構造を有する、繊維。
２.  前記１種以上のアミンモノマーが、１００モルパーセントの５（６）−アミノ−２−（ｐ−アミノフェニル）ベンズイミダゾールである、上記１に記載の繊維。
３.  前記１種以上のアミンモノマーが、メタフェニレンジアミンを含む、上記１に記載の繊維。
４.  第１ポリマーおよび第２ポリマーの前記混合物が、第１ポリマーおよび第２ポリマーの総量に基づいて、２５〜８０重量パーセントの前記第１ポリマーを含有する、上記１〜３のいずれか一項に記載の繊維。
５.  第１ポリマーおよび第２ポリマーの前記混合物が、前記第１ポリマーおよび第２ポリマーの総量に基づいて、２５〜５０重量パーセントの前記第１ポリマーを含有する、上記４に記載の繊維。
６.  上記１〜５のいずれか一項に記載の繊維を含むマルチフィラメント糸。
７.  上記１〜５のいずれか一項に記載のステープルファイバーを含む糸。
８.  上記１〜５のいずれか一項に記載の繊維を含む布地。
９.  上記１〜５のいずれか一項に記載の繊維を含む防護衣類。
１０.  ａ）少なくとも第１ポリマーおよび第２ポリマーを混合またはブレンドする工程であって；
前記第１ポリマーは、１種以上のアミンモノマーと複数の酸性モノマーとの反応に由来する構造を有し、
ｉ）前記１種以上のアミンモノマーは、アミンモノマーの総量に基づいて、少なくとも６０モルパーセントの５（６）−アミノ−２−（ｐ−アミノフェニル）ベンズイミダゾールを含み；および
ｉｉ）前記複数の酸性モノマーは：
Ｃｌ−ＣＯ−Ａｒ1−ＣＯ−Ｃｌ  及び  Ｃｌ−ＣＯ−Ａｒ2−ＣＯ−Ｃｌ
（式中、Ａｒ1はパラ型結合を有する芳香族基であり、およびＡｒ2はメタ型結合を有する芳香族基であり；
前記複数の酸性モノマーは、芳香族基Ａｒ2を含有する少なくとも５０モルパーセントの前記モノマーを有する）
の構造を有する酸性モノマーを含み；および
前記第２ポリマーは、メタフェニレンジアミンと塩化イソフタロイルとの反応に由来する構造を有する、工程；
ｂ）繊維を紡糸するための少なくとも第１ポリマーおよび第２ポリマーの均質溶液を提供する工程；および
ｃ）前記溶液から繊維を紡糸する工程
を含む、繊維を製造する方法。
１１.  前記１種以上のアミンモノマーが、１００モルパーセントの５（６）−アミノ−２−（ｐ−アミノフェニル）ベンズイミダゾールである、上記１０に記載の繊維を製造する方法。
１２.  前記１種以上のアミンモノマーが、メタフェニレンジアミンを含む、上記１０に記載の繊維を製造する方法。
１３.  第１ポリマーおよび第２ポリマーの前記混合物が、第１ポリマーおよび第２ポリマーの総量に基づいて、２５〜８０重量パーセントの前記第１ポリマーを含有する、上記１０〜１２のいずれか一項に記載の繊維を製造する方法。
１４.  第１ポリマーおよび第２ポリマーの前記混合物が、前記第１ポリマーおよび第２ポリマーの総量に基づいて、２５〜５０重量パーセントの前記第１ポリマーを含有する、上記１３に記載の繊維を製造する方法。